(57)【要約】【課題】ファン遮蔽装置を備えた冷蔵庫において、冷凍室の容積を増加させる。【解決手段】  冷凍室１２０５と、冷凍室１２０５の上に配置された冷蔵室１２０３と、冷凍室の背面側でエバポレータ３０３の上に配置された、少なくとも冷凍室１２０５に冷気を、マルチダクト３１５を通って吹き出し口から流入させるファン３０５と、を備え、冷凍室１２０５と冷蔵室１２０３との間の中仕切り３０７は、冷凍室の背面側で冷凍室の内側が上に湾曲して冷凍室に空間を作り、ファン３０５の少なくとも一部は、空間３０９に配置されている、冷蔵庫を提供する。【選択図】図３
2020094753.tif 000002
【特許請求の範囲】
【請求項１】
冷凍室と、
前記冷凍室の上に配置された冷蔵室と、
前記冷凍室の背面側でエバポレータの上に配置された、少なくとも前記冷凍室に冷気を、マルチダクトを通って吹き出し口から流入させるファンと、を備え、
前記冷凍室と前記冷蔵室との間の中仕切りは、前記冷凍室の背面側で前記冷凍室の内側が上に湾曲して前記冷凍室に空間を作り、
前記ファンの少なくとも一部は、前記空間に配置されている、冷蔵庫。
【請求項２】
前記冷凍室の吹き出し口は、前記ファンと平行の位置に設けられる、請求項１に記載の冷蔵庫。
【請求項３】
前記ファンの中心軸と同軸上にらせんねじが付いた蓋状のファンカバーと前記ファンはファン遮蔽装置に取り付けられ、
前記ファンカバーは、前記ファンの上に配置された前記ファンの中心軸と同軸の、前記らせんねじと係合する軸部が回転することにより開閉し、
前記エバポレータで冷却する冷却空間と前記マルチダクトの空間は、前記ファンカバーが開くことにより連通し、ファンカバーが閉じることにより遮断される、請求項１または２に記載の冷蔵庫。
【請求項４】
ヒータは、前記エバポレータの下に設けられ、
除霜期間において、前記ファンカバーが閉じて前記冷却空間と前記マルチダクトの空間とを遮断し、前記ヒータが駆動されて霜を溶かす、請求項３に記載の冷蔵庫。
【請求項５】
冷蔵室の下部であって、前記中仕切りの直上に野菜室が設けられる、請求項１乃至４のいずれか１項に記載の冷蔵庫。
【発明の詳細な説明】
【技術分野】
【０００１】
本発明は、冷凍室と冷蔵室を備える冷蔵庫に関する。
【背景技術】
【０００２】
近年、野菜を切って冷凍室で保存し、調理の時にはここから取り出して野菜を使うことが行われている。そのため、野菜室の容積を減らして冷凍室の容積を大きくする要求がある。
【０００３】
また、特許文献１には、冷凍室と冷蔵室に冷気を送風するファンに、ファンカバーをかけることにより省電力化を図る技術が記載されている。ヒータをつける除霜期間にファンカバーを閉じ、庫内に暖気が流れないようにするものである。
【先行技術文献】
【特許文献】
【０００４】
【特許文献１】特許第６２５４４０４号
【発明の概要】
【発明が解決しようとする課題】
【０００５】
ファン及びファンカバーが設けられるファン遮蔽装置は、冷凍室の背面に設置される。したがって、ファン遮蔽装置の大きさは、冷凍室の容積を圧迫する。また、冷凍室の背面には冷却器であるエバポレータ、除霜用のヒータが設置される。冷凍室を冷蔵庫最下部に設けようとすると、冷蔵庫下部のコンプレッサが設置される機械室が、エバポレータ、ヒータの設置場所を圧迫してしまい、ますます冷凍室の容積が小さくなる。
【０００６】
そこで、本発明は、ファン遮蔽装置が設けられる冷蔵庫において、冷凍室の容積を増加することを目的とする。また、本発明は、ファン遮蔽装置を設けることで、省電力な冷蔵庫を提供することを目的とする。さらに、本発明は、縦長のエバポレータを冷凍室背面に配置することにより、冷却効率がよい冷蔵庫を提供することを目的とする。
【課題を解決するための手段】
【０００７】
本発明の冷蔵庫は、
冷凍室と、
前記冷凍室の上に配置された冷蔵室と、
前記冷凍室の背面側でエバポレータの上に配置された、少なくとも前記冷凍室に冷気を、マルチダクトを通って吹き出し口から流入させるファンと、を備え、
前記冷凍室と前記冷蔵室との間の中仕切りは、前記冷凍室の背面側で前記冷凍室の内側が上に湾曲して前記冷凍室に空間を作り、
前記ファンの少なくとも一部は、前記空間に配置されている、ことを特徴とする。
【０００８】
このようにすることにより、本発明の冷蔵庫は、ファンが空間に配置され、冷凍室の容積を増加することができる。また、本発明は、ファン遮蔽装置を設けることで、省電力な冷蔵庫を提供することができる。さらに、本発明の冷蔵庫は、機械室に押し出された、冷凍室背面のエバポレータの設置場所を縦長にとることができ、冷却効率を上げ、冷凍室の容積を増加することができる。
【０００９】
また、本発明は、前記冷凍室の吹き出し口は、前記ファンと平行の位置に設けられる、ことを特徴とする。
【００１０】
本発明は、冷凍室の吹き出し口をファンと平行にできる。このようにすることで、冷気を強い風で冷凍室に送ることができる。
【００１１】
また、本発明は、
前記ファンの中心軸と同軸上にらせんねじが付いた蓋状のファンカバーと前記ファンはファン遮蔽装置に取り付けられ、
前記ファンカバーは、前記ファンの上に配置された前記ファンの中心軸と同軸の、前記らせんねじと係合する軸部が回転することにより開閉し、
前記エバポレータで冷却する冷却空間と前記マルチダクトの空間は、前記ファンカバーが開くことにより連通し、ファンカバーが閉じることにより遮断される、ことを特徴とする。
【００１２】
ファンカバーは簡単な機構で、開閉することができる。本発明は、ファン遮蔽装置が付くことにより、冷却空間とマルチダクトの空間を遮断することができる。
【００１３】
また、本発明は、
ヒータは、前記エバポレータの下に設けられ、
除霜期間において、前記ファンカバーが閉じて前記冷却空間と前記マルチダクトの空間とを遮断し、前記ヒータが駆動されて霜を溶かす、ことを特徴とする。
【００１４】
本発明は、ヒータをオンする除霜期間中にファンを遮蔽することができる。ファンを遮蔽することで、庫内に暖気が回らず温度を上げることがない。したがって、本発明は、省電力を達成できる。
【００１５】
また、本発明は、冷蔵室の下部であって、前記中仕切りの直上に野菜室が設けられる、ことを特徴とする。
【００１６】
本発明は、野菜室の容積を減らして冷凍室の容積を増加することができる。
【発明の効果】
【００１７】
本発明により、ファン遮蔽装置が設けられる冷蔵庫において、冷凍室の容積を増加することができる。また、本発明は、ファン遮蔽装置を設けることで、省電力な冷蔵庫を提供することができる。さらに、本発明は、縦長のエバポレータを冷凍室背面に配置することにより冷却効率がよく、冷凍室の容積を増加した冷蔵庫を提供することができる。
【図面の簡単な説明】
【００１８】
【図１】本発明の１つの実施形態における冷蔵庫の概略図である。
【図２】本発明の１つの実施形態における冷蔵庫の扉を開放した正面図である。
【図３】本発明の１つの実施形態における冷蔵庫である図２のＡ−Ａ断面図である。
【図４】本発明の１つの実施形態におけるファン遮蔽装置の一部であるファン及びファンカバーの概略図である。
【図５】本発明の１つの実施形態におけるファン遮蔽装置の正面図である。
【発明を実施するための形態】
【００１９】
以下、本発明を実施するための様々な実施形態を、図面を参照して説明する。要点の説明または理解の容易性を考慮して、異なる図面で便宜上符号を変えて示すが、一部同一の機能を備える。異なる図面おける同一構成の機能については、後の説明では省略することがある。
【００２０】
（冷蔵庫全体の構成について）
図１は、本発明の１つの実施形態における冷蔵庫の概略図である。図１を参照しながら本発明の冷蔵庫全体の構成を説明する。
【００２１】
図１に示すように、本発明の１つの実施形態の冷蔵庫１０１は、その内部に食品等の貯蔵ができる冷蔵庫本体１０３を備える。冷蔵庫本体１０３は、その前方の開口を開閉する扉１０５、１０７を備える。扉１０５は冷蔵室を開閉し、扉１０７は冷凍室１２０５を開閉する。
【００２２】
（冷蔵庫の内部の構成について）
図２は、本発明の１つの実施形態における冷蔵庫１０１の扉を開放した正面図である。扉の記載は省略してある。図３は、本発明の１つの実施形態における冷蔵庫１０１である図２のＡ−Ａ断面図である。図２及び図３を参照しながら、冷蔵庫１０１の内部の構成を説明する。
【００２３】
図２に示すように、冷蔵庫本体１２０１は、冷蔵用の冷気が送風される、冷蔵食品を貯蔵する冷蔵室１２０７と野菜室１２０９とを備える冷蔵室１２０３と、冷凍用の冷気が送風される冷凍室１２０５を有する。冷蔵庫本体１２０１は、冷凍室１２０５が最下部に設けられ、冷凍室１２０５の上に野菜室１２０９が設けられ、野菜室１２０９の上に冷蔵食品を貯蔵する冷蔵室１２０７が設けられる。
【００２４】
図３に示すように、冷凍室１２０５の背面には、下部にコンプレッサが設置される機械室３０１が配置される。冷凍室背面の機械室３０１の上には、ヒータ３１１が配置される。冷凍室背面のヒータ３１１の上には、冷却器であるエバポレータ３０３が配置される。
【００２５】
機械室３０１は、冷蔵庫１０１の重心を下げ、冷蔵庫１０１の設置を安定化させるために冷蔵庫１０１の下部に置かれる。しかしながら、この部分は、冷蔵庫１０１の保存室の容積を圧迫してしまう。本実施の形態は、冷凍室１２０５を冷蔵庫１０１の最下部に配置するため、機械室３０１が冷凍室１２０５の容積を圧迫する。
【００２６】
エバポレータ３０３は、冷凍室１２０５及び冷蔵室１２０３を冷却する冷気を生成する。本発明の冷蔵庫１０１は、機械室３０１に押し出された、冷凍室の背面側のエバポレータ３０３を、冷却能力を維持するために、縦長にとる。縦長のエバポレータ３０３は、長い冷却領域がとれるので冷却効率が高い。
【００２７】
ヒータ３１１は、エバポレータ３０３についた霜をとるためにエバポレータ３０３の下部に設けられる。ヒータ３１１は、一定期間経過すると自動でオンとなり、空気を暖めて、霜を溶かす。溶けた霜は、水となってヒータ３１１下部から排出される。
【００２８】
冷凍室背面のエバポレータ３０３の上には、ファン３０５が配置される。ファン３０５は、少なくとも冷凍室１２０５に冷気を流入させる。冷気は、ファン３０５を通った後、マルチダクト３１５を通って、図２の２１１、２１３に対応する吹き出し口３１９、図２の２１５、２１７に対応する吹き出し口３２１の、図２の２１９に対応する吹き出し口３２３から冷凍室１２０５に流れる。
【００２９】
冷凍室１２０５を循環した冷気は、図２の２２１に対応する吸入口３２５から吸入され、エバポレータ３０３で再度冷却される。
【００３０】
また、冷気は、冷蔵室１２０３への流入を切り替えるダンパ３１３を通って、冷蔵室１２０３へ流れる。冷気は、ダンパ３１３を通った後、マルチダクト３１７に入って、図２の吹き出し口２２７、図２の２２９に対応する吹き出し口３２９、図２の２３１に対応する３３１から冷蔵室１２０３に流れる。
【００３１】
冷蔵室１２０３を循環した冷気は、吸入口２２３、２２５から吸入され、戻りダクトを通って、エバポレータ３０３の下側に戻りエバポレータ３０３で再度冷却される。
【００３２】
冷凍室１２０５と冷蔵室１２０３は中仕切り３０７によって区切られている。中仕切り３０７は、冷凍室１２０５の背面側で冷凍室１２０５の内側が上に湾曲して冷凍室１２０５に空間３０９を作る。この空間３０９にファン３０５の少なくとも一部が配置されている。
【００３３】
本実施の形態のように、中仕切り３０７が冷凍室１２０５の背面側で上に屈曲して空間３０９を作ってもよいが、中仕切り３０７の一部を削って空間３０９を作ってもよい。
【００３４】
ファン３０５を空間３０９に配置することにより、冷凍室１２０５の背面側の空間を有効利用できる。したがって、冷凍室１２０５の容積を大きく取ることができる。
【００３５】
野菜室１２０９は、冷蔵室１２０３の下部であって、中仕切り３０７の直上に設けられている。空間３０９は野菜室１２０９の一部であってもよく、必要とされなくなった野菜室１２０９の一部を冷凍室１２０５の一部にすることができる。また、マルチダクト３１５の一部のデッドスペースを冷凍室１２０５の一部にすることができる。
【００３６】
このようにすることにより、本発明の冷蔵庫は、ファン３０５が冷凍室１２０５の容積を圧迫せず、冷凍室１２０５の容積を増加することができる。また、本発明は、野菜室１２０９の容積を減らして冷凍室１２０５の容積を増加することができる。さらに、本発明は、マルチダクト３１５の容積を減らして冷凍室１２０５の容積を増加することができる。
【００３７】
また、本発明の冷蔵庫は、機械室３０１に押し出された、冷凍室背面のエバポレータ３０３の設置場所を上部方向に取ることができる。したがって、エバポレータ３０３を縦長にすることができ、冷却効率を上げ冷凍室背面の容積を増加することができる。
【００３８】
（ファン遮蔽装置の説明）
図４は、本発明の１つの実施形態におけるファン遮蔽装置の一部であるファン及びファンカバーの概略図である。図５は、本発明の１つの実施形態におけるファン遮蔽装置の正面図である。図４及び５を参照して、ファン及びファンカバーを備えるファン遮蔽装置について説明する。
【００３９】
図４に、ファン４０３とファンカバー４０５を備えるファン遮蔽装置の一部４０１が示される。図４の破線で示されるファン４０３の中心軸と同軸のらせんねじ４０７が付いた、蓋状のファンカバー４０５とファン４０３がファン遮蔽装置に取り付けられる。
【００４０】
ファンカバー４０５は、ファン４０３上であってファン４０３の中心軸と同軸上の、らせんねじ４０７と係合する軸部４０９が回転することにより、上下に動作する。ファンカバー４０５は、支持ピン４１１がファンカバー４０５を貫通してガイドすることにより、ファンカバー４０５が平行に動作する。
【００４１】
ファンカバー４０５は、上に動作すると開き、エバポレータ３０３で冷却する冷却空間とマルチダクト３１５の空間は、連通し、矢印方向から風がながれる。ファンカバー４０５は、下に動作すると閉じ、エバポレータ３０３で冷却する冷却空間とマルチダクト３１５の空間は遮断される。
【００４２】
したがって、エバポレータ３０３のヒータ３１１をオンする除霜期間中にファン４０３を遮蔽することができる。除霜期間において、ヒータ３１１が駆動して霜を溶かす。同時に、ファン４０３を遮蔽することで、ファンカバー４０５が閉じて冷却空間とマルチダクト３１５の空間とを遮断し、庫内に暖気が回らず温度を上げることがない。よって、本発明は、省電力を達成する。
【００４３】
図５は、ファン遮蔽装置５０１の正面図を示す。ファン遮蔽装置５０１は、図３の３０５に対応するファン４０３とファンカバー４０５と、図３のマルチダクト３１５、図２の２１１、２１３に対応し、図３の３１９に対応する吹き出し口５０５、５０７、図２の２１５、２１７に対応し、図３の３２１に対応する吹き出し口５０９、５１１、図２の２１９に対応に対応し、図３の３２３に対応する吹き出し口５１３、図２の２２１に対応し、図３の３２５に対応する吸入口５１５を含めた構成部品からなる。
【００４４】
図３の空間３０９には、ファン遮蔽装置５０１の線Ｂ−Ｂより上の部分が配置される。また、ファン遮蔽装置の一部４０１は、ファン遮蔽装置５０１の位置５０３の裏面に配置される。このようにファン４０３及びファンカバー４０５を含むファン遮蔽装置５０１の一部が、空間３０９に配置されている。
【００４５】
ここで、重要なことは、ファン４０３が設置される位置５０３と平行に吹き出し口５０５及び５０７が配置されていることである。冷気は、冷凍室１２０５の天井付近から送る必要がある。従来は、ファンの位置の上に吹き出し口があった。
【００４６】
しかしながら、本発明では、ファン４０３が冷凍室１２０５の上部に配置することができるため、送風のための吹き出し口５０５は、ファン４０３設置される位置５０３と平行に置くことができる。このようにすることで、冷気を強い風量で冷凍室１２０５に送ることができるため、省電力にできる。
【００４７】
本発明により、ファン遮蔽装置が設けられる冷蔵庫において、冷凍室１２０５の容積を増加することができる。また、本発明は、ファン遮蔽装置を設けることで省電力な冷蔵庫を提供することができる。さらに、本発明は、縦長のエバポレータ３０３を冷凍室背面に配置することにより冷却効率がよく、冷凍室１２０５の容積を増加した冷蔵庫を提供することができる。
【産業上の利用可能性】
【００４８】
本発明は、ファンが冷凍室背面に設置された冷蔵庫に適用できる。また、本発明は、省電力のためのファン遮蔽装置が設置された冷蔵庫に適用できる。
【符号の説明】
【００４９】
１０１  冷蔵庫
１０３  冷蔵庫本体
１０５  扉
１０７  扉
１２０１  冷蔵庫本体
１２０３  冷蔵室
１２０５  冷凍室
１２０７  冷蔵食品を貯蔵する冷蔵室
１２０９  野菜室
２１１  吹き出し口
２１３  吹き出し口
２１５  吹き出し口
２１７  吹き出し口
２１９  吹き出し口
２２１  吸入口
２２３  吸入口
２２５  吸入口
２２７  吹き出し口
２２９  吹き出し口
２３１  吹き出し口
３０１  機械室
３０３  エバポレータ
３０５  ファン
３０７  中仕切り
３０９  空間
３１１  ヒータ
３１３  ダンパ
３１５  マルチダクト
３１７  マルチダクト
３１９  吹き出し口
３２１  吹き出し口
３２３  吹き出し口
３２５  吸入口
３２９  吹き出し口
３３１  吹き出し口
４０１  ファン遮蔽装置の一部
４０３  ファン
４０５  ファンカバー
４０７  らせんねじ
４０９  軸部
４１１  支持ピン
５０１  ファン遮蔽装置
５０３  位置
５０５  吹き出し口
５０７  吹き出し口
５０９  吹き出し口
５１１  吹き出し口
５１３  吹き出し口
５１５  吸入口
【図１】
2020094753.tif 000003
【図２】
2020094753.tif 000004
【図３】
2020094753.tif 000005
【図４】
2020094753.tif 000006
【図５】
2020094753.tif 000007